(57)【特許請求の範囲】
【請求項１】
植物を生育する植生基盤が充填され、多面を有する緑化装置と、当該緑化装置と当該緑化装置で緑化する構造物とを接続する接続装置を含む緑化システムであって、
前記緑化装置は、垂直方向に接続自在であり、
前記植生基盤に植物が予め植えられ、当該植物が絡む植生面を有するユニットと、
前記ユニットと接続自在であり、少なくとも当該緑化装置の一面を含む連結体と、
前記ユニットと前記連結体とを接続する接続部材と、を備え、
前記接続装置は、
前記構造物と接続される板状の構造物側接続部と、前記構造物側接続部と直交して当該構造物側接続部と一体に連なり、前記緑化装置の連結体の背面外側に沿って配置されると共に当該連結体の背面外側と接続される板状の緑化装置側接続部と、を含む外側接続部材と、
前記連結体の背面内側に沿って配置されると共に当該連結体の背面内側と接続される板状の内側接続部材であって、当該連結体の背面を、前記緑化装置側接続部と挟持する内側接続部材と、
前記外側接続部材の前記緑化装置側接続部と前記内側接続部材とを固定する、前記連結体の背面を貫通して設けられた固定部材と、を備え、
前記構造物側接続部は前記緑化装置側接続部から水平方向に向かって立設しており、
前記構造物側接続部に形成された貫通孔を貫通した状態で前記構造物に埋め込まれることで、前記構造物に前記構造物側接続部を接続する軸部材を、更に備える、
緑化システム。
【請求項２】
前記接続装置は、下側の緑化装置の連結体の背面上部と当該下側の緑化装置の上方に接続される上側の緑化装置の連結体の背面下部とを跨いで、垂直方向に接続された２つの緑化装置と前記構造物とを接続する、請求項１に記載の緑化システム。
【請求項３】
前記構造物のうち、水平方向に突出した突出部を更に備え、前記構造物側接続部は、前記軸部材を介して前記突出部に接続される、請求項１又は２に記載の緑化システム。
【請求項４】
前記構造物のうち、水平方向に突出した、構造物の基礎となる基礎部を更に備え、
前記接続装置は、前記構造物側接続部と前記基礎部との間に配置される、前記軸部材に装着されるスペーサを、更に有する、
請求項１に記載の緑化システム。
【請求項５】
植物を生育する植生基盤が充填され、多面を有する緑化装置を用いた緑化方法であって、
前記緑化装置は、垂直方向に接続自在であり、前記植生基盤に植物が予め植えられ、当該植物が絡む植生面を有するユニットと、
前記ユニットと接続自在であり、少なくとも当該緑化装置の一面を含む連結体と、
前記ユニットと前記連結体とを接続する接続部材と、を備え、
当該緑化方法は、前記ユニットを組み立て、植物を植え付けて養生する養生工程と、前記養生工程で養生されたユニットと、前記連結体とを前記接続部材で接続して複数の緑化装置を組み立て、複数の緑化装置を垂直方向に接続して、壁面を形成する設置工程と、を有し、
前記設置工程では、前記構造物と接続される板状の構造物側接続部と、前記構造物側接続部と直交して当該構造物側接続部と一体に連なり、前記緑化装置の連結体の背面外側に沿って配置されると共に当該連結体の背面外側と接続される板状の緑化装置側接続部と、を含む外側接続部材と、前記連結体の背面内側に沿って配置されると共に当該連結体の背面内側と接続される板状の内側接続部材であって、当該連結体の背面を前記緑化装置側接続部と挟持する内側接続部材と、前記緑化装置側接続部と前記内側接続部材とを固定する、前記連結体の背面を貫通して設けられた固定部材と、前記構造物側接続部に形成された貫通孔を貫通した状態で前記構造物に埋め込まれることで前記構造物に前記構造物側接続部を接続する軸部材と、を備える接続装置によって前記緑化装置を前記構造物に接続し、
前記構造物側接続部は前記緑化装置側接続部から水平方向に向かって立設している、
緑化方法。
【発明の詳細な説明】
【技術分野】
【０００１】
本発明は、緑化システム、及び緑化方法に関する。
【背景技術】
【０００２】
壁面緑化が普及しつつある。例えば、特許文献１には、建設現場を外部と区画するために設けられる仮囲いの内側に沿って枠組足場を立設し、該枠組足場の上部に、プランターと、該プランターを収納すべく上部が開口した函形のプランター部と、プランターに植生する植物を登はんさせるためのメッシュを張設したパネル部とから構成されるプランターユニットを仮設し、プランターの植物を、仮設場所において先行栽培して、メッシュに植物を登はんさせ、当該植物を先行栽培したプランターユニットを、建物壁面に沿って設けた足場解体時に、枠組足場から取り外して揚重し、建物壁面の所定の設置位置に移設する技術が開示されている。
【０００３】
また、例えば、特許文献２には、植物を生育する植生基盤が充填され、多面を有する緑化装置が開示されている。この緑化装置は、植生基盤に植物が予め植えられ、当該植物が絡む植生面を有するユニットと、ユニットと接続自在であり、少なくとも当該緑化装置の一面を含む連結体と、ユニット記連結体とを接続する接続部材と、を備える。そして、この緑化装置は、垂直方向に接続自在である。
【０００４】
【特許文献１】特開２０１２−１９１８６０号公報
【特許文献２】特開２０１４−１４３９３６号公報
【発明の概要】
【発明が解決しようとする課題】
【０００５】
特許文献１に記載の技術は、枠組足場の上部に仮設した仮設場所で先行栽培するもので、現場で植生を行う必要がある。そのため、現場での作業工程が多く、また、植物が壁面を十分に覆うまでに時間を要する。一方、特許文献２に記載の技術によれば、特許文献１に記載の技術と比較して、現場での作業工程を削減することができる。また、施工直後から壁状の緑化を実現できる。但し、特許文献２に記載の技術は、緑化装置の上端を構造物（建物）の外側に突出したスラブに接続する必要がある。そのため、緑化装置は、構造物の形状に合わせて、例えば高さを設計する必要がある。
【０００６】
本発明は、上記の問題に鑑み、構造物の形状に関わらず設置でき、施工直後から壁状の緑化が可能な技術を提供することを課題とする。
【課題を解決するための手段】
【０００７】
本発明は、上述した課題を解決するために、緑化装置を植物が予め植えられた植生面を有するユニットと当該ユニットと接続される連結体によって構成した。また、構造物と緑化装置とを接続する接続装置を工夫し、構造物の形状に関わらず構造物と緑化装置とを接続できるようにした。
【０００８】
詳細には、本発明は、植物を生育する植生基盤が充填され、多面を有する緑化装置と、当該緑化装置と当該緑化装置で緑化する構造物とを接続する接続装置を含む緑化システムであって、前記緑化装置は、垂直方向に接続自在であり、前記植生基盤に植物が予め植えられ、当該植物が絡む植生面を有するユニットと、前記ユニットと接続自在であり、少なくとも当該緑化装置の一面を含む連結体と、前記ユニットと前記連結体とを接続する接続部材と、を備え、前記接続装置は、前記構造物と接続される板状の構造物側接続部と、前
記構造物側接続部と連なり、前記緑化装置の連結体の背面外側と接続される板状の緑化装置側接続部とを含む外側接続部材と、前記連結体の背面内側と接続される板状の内側接続部材であって、当該連結体の背面を、前記緑化装置側接続部と挟持する内側接続部材と、前記外側接続部材と前記内側接続部材とを固定する固定部材と、を備える。
【０００９】
接続装置は、緑化装置の連結体の背面と構造物とを接続する。そのため、緑化装置の上端を構造物（建物）の外側に突出したスラブに接続する従来技術と異なり、構造物の形状に関わらず、緑化装置を設置することができる。また、ユニットが植生基盤に植物が予め植えられ当該植物が絡む植生面を有することから、設置場所において植物を植える手間を省くことができ、施工性が向上する。また、植物の植えつけは、熟練度によって完成後の見栄えや植物の生育に影響を与えることが懸念されるが、本発明ではユニットが予め植物が絡む植生面を有することからそのような懸念も解消される。また、本発明に係る緑化装置は、ユニットが予め植物が絡む植生面を備えることで設置当初から緑化効果を得ることができ、また、美観も優れている。ユニットは、設置場所とは異なる場所で組み立て、植物を植えつけることが好ましい。これにより、設置場所における作業負担を軽減することができる。また、設置場所に植物を育成するための場所を確保する必要もない。また、本発明に係る緑化装置は、育成中、少なくとも一面を開放した状態とすることができる。そのため、植物の手入れなどを開放された一面から容易に行うことができる。一面は、後面又は側面とすることができるが、後面とすることがより好ましい。
【００１０】
植生基盤とは、緑化装置に植えられる植物を生育するための土台を意味する。植生基盤は、保水性の高い軽量土壌を用いることが好ましいが、植物を生育できるものであればよい。本発明に係る緑化装置は、多面構造とすることができる。面数は、限定されないが、例えば、緑化装置は６面体とすることができる。
【００１１】
ここで、前記接続部材は、下側の緑化装置の連結体の背面上部と当該下側の緑化装置の上方に接続される上側の緑化装置の連結体の背面下部とを跨いで、垂直方向に接続された緑化装置と前記構造物とを接続するようにしてもよい。これにより、上側の緑化装置と下側の緑化装置とを一体的に構造物に接続することができる。
【００１２】
また、前記構造物側接続部は、前記構造物のうち、水平方向に突出した突出部に接続するようにしてもよい。構造物側接続部と構造物とは、ボルトなどの軸を有する部材を用いて固定することができる。構造物側接続部を構造物の垂直面（例えば、壁）にボルトなどの部材で固定する場合、緑化装置に対して構造物から離れる方向に力が作用した際、ボルトなどの部材の軸方向と力が作用する方向が同じであるため、ボルトなどの部材の抜けが懸念される。したがって、アンカーボルトを用いるなど、より抜けにくい工夫が必要となる。これに対し、構造物側接続部を構造物の水平方向に突出した突出部に接続する場合には、緑化装置に対して構造物から離れる方向に力が作用した場合でも、このような力が作用する方向とボルトなどの部材の軸方向が異なるため（例えば、直交するため）、ボルトなどの部材が抜けにくくなっている。したがって、アンカーボルト等を用いることなく、より強固に固定することができる。これにより、特に緑化装置を垂直方向に重ねた場合において、緑化装置の安定性が向上する。
【００１３】
また、前記構造物側接続部は、前記構造物のうち、水平方向に突出した、構造物の基礎となる基礎部に接続され、前記接続装置は、前記緑化装置と地面との間に空間が形成されるように、前記緑化装置と前記構造物とを接続するようにしてもよい。空間を形成することで、緑化装置の設置面の多少の凹凸に関わらず、緑化装置を設置することができる。
【００１４】
また、前記植生面は、横方向に延出する波状の横部材であって、縦方向に複数配置される横部材と、前記横部材と直交するように該横部材と接続される縦部材とを有し、前記複
数の横部材は、前記枠体の側面と直交する方向において波状であり、波の周期が縦方向において一致している構成としてもよい。本発明に係る緑化装置では、横部材が波状に形成される、換言すると、横方向において、凹部と凸部が交互に配置される。また、波が縦方向において周期が一致している。つまり、凹部や凸部が縦方向において直線状に並んでいる。換言すると、凹部や凸部内に形成される空間が、縦方向において、直線状に形成される。その結果、空間が形成されることで、植物がより絡みやすくなり、また、その空間が縦方向に直線状に形成されることで、絡まった植物の上方が開放され、植物の育成方向が妨げられることもない。よって、本発明に係る緑化装置は、植物が絡みやすく、植物が生育するうえで良好な環境を提供することができる。更に、本発明に係る緑化装置は、植物が絡みやすいことから、植生面が均一にむらなく植物により被覆され、美観にも優れている。
【００１５】
ここで、本発明は、上述した緑化システムを構成する接続装置として特定してもよい。例えば、本発明は、植物を生育する植生基盤が充填され、多面を有する緑化装置を当該緑化装置で緑化する構造物に接続する接続装置であって、前記緑化装置は、垂直方向に接続自在であり、前記植生基盤に植物が予め植えられ、当該植物が絡む植生面を有するユニットと、前記ユニットと接続自在であり、少なくとも当該緑化装置の一面を含む連結体と、前記ユニットと前記連結体とを接続する接続部材と、を備え、前記接続装置は、前記構造物と接続される板状の構造物側接続部と、前記構造物側接続部と連なり、前記緑化装置の連結体の背面外側と接続される板状の緑化装置側接続部とを含む外側接続部材と、前記連結体の背面内側と接続される板状の内側接続部材であって、当該連結体の背面を、前記緑化装置側接続部と挟持する内側接続部材と、前記外側接続部材と前記内側接続部材とを固定する固定部材と、を備える。
【００１６】
また、本発明は、緑化方法として特定することもできる。例えば、本発明は、植物を生育する植生基盤が充填され、多面を有する緑化装置を用いた緑化方法であって、前記緑化装置は、垂直方向に接続自在であり、前記植生基盤に植物が予め植えられ、当該植物が絡む植生面を有するユニットと、前記ユニットと接続自在であり、少なくとも当該緑化装置の一面を含む連結体と、前記ユニットと前記連結体とを接続する接続部材と、を備え、当該緑化方法は、前記ユニットを組み立て、植物を植え付けて養生する養生工程と、前記養生工程で養生されたユニットと、前記連結体とを前記接続部材で接続して複数の緑化装置を組み立て、複数の緑化装置を垂直方向に接続して、壁面を形成する設置工程と、を有し、前記設置工程では、前記構造物と接続される板状の構造物側接続部と、前記構造物側接続部と連なり、前記緑化装置の連結体の背面外側と接続される板状の緑化装置側接続部とを含む外側接続部材と、前記連結体の背面内側と接続される板状の内側接続部材とで、当該連結体の背面を挟持し、前記外側接続部材と前記内側接続部材とを固定するようにしてもよい。
【００１７】
本発明に係る緑化方法によれば、構造物の形状に関わらず緑化装置を設置することができる。また、ユニットが植生基盤に植物が予め植えられ当該植物が絡む植生面を有することから、設置場所において植物を植える手間を省くことができ、施工性が向上する。また、予め植物が絡む植生面を備えることで設置当初から緑化効果を得ることができ、また、美観にも優れている。養生工程は、設置場所とは異なる場所で行うことが好ましい。これにより、設置場所における作業負担を軽減することができ、設置場所に植物を育成するための場所を確保する必要もない。また、本発明に係る緑化装置は、育成中、少なくとも一面を開放した状態とすることができる。そのため、植物の手入れなどを開放された一面から容易に行うことができる。
【発明の効果】
【００１８】
本発明によれば、構造物の形状に関わらず設置でき、施工直後から壁状の緑化が可能な
技術を提供することができる。
【図面の簡単な説明】
【００１９】
【図１】図１は、実施形態に係る緑化システムの設置状況の一例の斜視図を示す。
【図２】図２は、実施形態に係る緑化システムの設置状況の一例の断面図を示す。
【図３】図３は、実施形態に係る緑化装置の斜視図を示す。
【図４】図４は、実施形態に係る緑化装置の断面図を示す。
【図５】図５は、実施形態に係るユニットの分解斜視図を示す。
【図６】図６は、実施形態に係る連結型の固定金物の断面図を示す。
【図７】図７は、実施形態に係る連結型の固定金物の平面図を示す。
【図８】図８は、実施形態に係る連結型の固定金物の正面図を示す。
【図９】図９は、実施形態に係る独立型の固定金物の側面図を示す。
【図１０】図１０は、実施形態に係る独立型の固定金物の平面図を示す。
【図１１】図１１は、実施形態に係る独立型の固定金物の正面図を示す。
【図１２】図１２は、実施形態に係る基礎部の固定金物の断面図を示す。
【図１３】図１３は、実施形態に係る基礎部の固定金物の平面図を示す。
【図１４】図１４は、実施形態に係る基礎部の固定金物の正面図を示す。
【図１５】図１５は、実施形態に係る上面の補助金物の断面図を示す。
【図１６】図１６は、実施形態に係る側面の補助金物の平面図を示す。
【図１７】図１７は、実施形態に係る側面の補助金物の正面図を示す。
【図１８】図１８は、実施形態に係る緑化方法の工程図を示す。
【発明を実施するための形態】
【００２０】
次に、本発明の実施形態について図面を基づいて説明する。なお、以下で説明する実施形態は本発明を実施するための例示であり、本発明は以下で説明する態様に限定されない。
【００２１】
＜緑化システム＞
図１は、実施形態に係る緑化システムの設置状況の一例の斜視図を示す。図２は、実施形態に係る緑化システムの設置状況の一例の断面図を示す。実施形態に係る緑化システム１００は、緑化装置１と接続装置（連結型の固定金物６１、独立型の固定金物６２、基礎部の固定金物の本体６３１）によって構成されている。緑化装置１は、地面８に建つ建物９の正面側（前側）を緑化する。複数の緑化装置１が水平方向、及び垂直（上下）方向に設置されることで、建物９の前側に一つの壁が形成されている。また、緑化装置１は、接続装置（例えば、連結型の固定金物６１）によって建物９と固定されることで、安定性が確保されている。なお、図１では、建物９の前側の全面を覆うように設けられているが、緑化装置１により、建物９の前側の一部を覆うようにしてもよい。また、緑化装置１は、建物９の側面や後側を覆ってもよい。なお、本明細書では、特に言及する場合を除いて、緑化装置システム１００の正面側（建物９の正面側）を“前側”、背面側を“後側”として説明する。また、緑化装置システム１００の天面側を“上側”、反対側（底側）を“下側”として説明する。また、緑化装置システム１００の側壁側は、前方から見て右側を“右側”、前方から見て左側を“左側”とするが、左右を特に区別する必要が無い場合には、“側方”又は“横方向”として説明する。以下、詳細に説明する。
【００２２】
＜緑化装置＞
図３は、実施形態に係る緑化装置の斜視図を示し、図４は、実施形態に係る緑化装置の断面図を示す。図５は、実施形態に係るユニットの分解斜視図を示す。緑化装置１は、ユニット２、及び連結体３を備え、接続部材４によってユニット２と連結体３が互いに接続されている。緑化装置１のユニット２の正面、及び側面には、予め植物５が絡む植生面が設けられており、このようなユニット２と格子状のパネルからなる連結体３とを接続する
ことで、緑化装置１が構成され、緑化装置１の設置直後から緑化効果を得ることができる。
【００２３】
緑化装置１は、正面、背面、上面、下面、２つの側面の６面からなる箱型形状（６面体）である。実施形態では、各面の平面形状を四角形としたが、各面の平面形状は、四角形以外の多角形としてもよい。また、緑化装置１は、６面体以外の多面体構造としてもよい。
【００２４】
ユニット２は、ユニット金網２０、マット２１、軽量土壌２２を備える。ユニット金網２０は、大きさの異なる何れも長方形からなる、ユニット金網正面２０ａ、ユニット金網側面２０ｂ，２０ｂ、ユニット金網背面２０ｃ、ユニット金網下面２０ｄ、ユニット金網上面２０ｅによって構成されている。ユニット金網正面２０ａは、面積が最も大きく、横方向の両端部に、ユニット金網側面２０ｂが直角に連なっている。また、ユニット金網正面２０ａの上端には、ユニット金網上面２０ｅが直角に連なっている。また、ユニット金網正面２０ａの下端には、ユニット金網下面２０ｄが直角に連なっている。更に、ユニット金網下面２０ｄよりもやや高い位置には、マット２１、及び軽量土壌２２を支持する第２のユニット金網下面２０ｇが設けられている。ユニット金網下面２０ｄの後側の端部には、ユニット金網背面２０ｃが直角に連なっている。ユニット金網背面２０ｃは、軽量土壌２２を収容するために必要な高さを有しており、ユニット金網正面２０ａや、ユニット金網側面２０ｂよりも低く形成されている。更に、ユニット２の横方向の中央付近には、ユニット金網仕切り壁２０ｆが設けられている。ユニット金網仕切り壁２０ｆは、下端がユニット金網背面２０ｃの上端とほぼ同じ高さに位置する。ユニット金網仕切り壁２０ｆの前方側の端部は、ユニット金網正面２０ａに接続され、ユニット金網仕切り壁２０ｆの背面側の端部は、連結体３に接続されている。ユニット２は、後側の一部が開放され、後側には連結体３が接続されている。なお、より強度を高めるため、ユニット金網上面２０ｅの後側の端部には、ユニット金網背面２０ｃの一部（上部）を直角に連ならせるようにしてもよい。
【００２５】
ユニット金網２０のうち、ユニット金網正面２０ａは、平板状の金網に対して折り曲げ加工と溶接が施されることで、各面が形成されている。金網の材質は、例えば、亜鉛とアルミニウム合金メッキの鉄線とすることができる。ユニット金網２０のうち、ユニット金網正面２０ａは、格子の横方向を構成する横部材が、折り曲げ加工が施されることで、波状に形成されている。これに対し、格子の縦方向（上下方向）を構成する縦部材は、直線状である。横部材の波状のうち、ユニット２から外側に向けて突出した突出部２４が縦方向に直線状に並ぶように、突出部２４と突出部２４との間において、縦部材と横部材とが溶接によって接続されている。横部材が突出部２４を有することで、横部材とマット２１の表面との間に空間が形成され、植物５がユニット金網２０に対して絡みやすくなる。ユニット２には、蔓類の植物５を植えつけることが好ましく、突出部２４を縦方向に直線状に配置することで上方に延びる蔓類が絡みやすくなる。一方、ユニット金網側面２０ｂ、ユニット金網背面２０ｃ、ユニット金網下面２０ｄ、及びユニット金網上面２０ｅは、突出部２４がないフラットな構成であり、ユニット金網正面２０ａよりも簡易な構成となっている。なお、ユニット金網側面２０ｂ、ユニット金網背面２０ｃ、ユニット金網下面２０ｄのうち少なくとも何れか一つについても、ユニット金網正面２０ａと同様、突出部２４を備える金網によって構成してもよい。
【００２６】
マット２１は、ユニット金網２０の内側に配置され、充填される植生基盤としての軽量土壌２２が外部に漏れるのを抑制する。マット２１は、ユニット金網正面２０ａの内側に設けられるマット正面２１ａ、ユニット金網側面２０ｂの内側に設けられるマット側面２１ｂ、ユニット金網背面２０ｃの内側に設けられるマット背面２１ｃ、第２のユニット金網下面２０ｇの内側に設けられるマット下面２１ｄを有する。実施形態では、軽量土壌２
２の上面にマット２１が設けられていないが、上面にもマット２１を設けてもよい。また、マット２１に代えて、砕石等を敷設してもよい。マット２１は、通気性と軽量土壌２２を保持する強度を有していればよく、本実施形態ではマット２１にファイバーマットが用いられている。ファイバーマットは、ポリエステルシートと天然椰子繊維からなるシートを張り合わせることで構成されている。なお、ファイバーマットに代えてリサイクルＰＥＴからなるシートやフェルトを用いてもよい。また、マット２１の形状は、ユニット金網２０の各面の形状に合わせればよく、本実施形態では、各マットは大きさが異なる長方形によって構成されている。
【００２７】
マット２１のうち、マット正面２１ａには予め植物５が植えられている。具体的には、マット正面２１ａには、複数の切り込み（図示せず）が形成されており、この切り込みから植物５の根が軽量土壌２２に植えつけてある。なお、他のマットについては、緑化装置１の設置状況に応じて適宜切り込みを設け、植物５を植えつければよい。マット正面２１ａに植生される植物５には、蔓性植物としてのテイカカズラが例示される。また、天面に植生される植物５には、シラカシやアオダモなど主木となる木と、コナラ、ウツギ、ヤマブキ、ヤマツツジ、ツバキなどの中・低木、ヒメヤブラン、キチジョウソウ、チゴユリ、ゲンノショウコなどの草木が例示される。
【００２８】
軽量土壌２２は、ユニット２内に充填され、ユニット２に植えられる植物５に対して水分を供給する。本実施形態では、本発明の植生基盤として保水性に優れた無機質の軽量土壌を用いているが、軽量土壌に代えて既存の他の土壌を用いてもよい。
【００２９】
連結体３は、上面視においてＣ字状であり、緑化装置１の背面を覆うとともに、ユニット金網側面２０ｂとラップしている。また、連結体３は、下部が、ユニット金網背面２０ｃとラップしている。連結体３は、突出部２４がないフラットな金網で構成され、ユニット金網正面２０ａよりも簡易な構成となっている。なお、連結体３も、ユニット金網正面２０ａと同様、突出部２４を備える金網によって構成してもよい。また、本実施形態では、連結体３を上面視においてＣ字状としたが、一枚のフラットな金網によって構成してもよく、また、上面視において、Ｌ字状としてもよい。また、連結体３は、ユニット金網上面２０ｅやユニット金網下面２０ｄとラップさせるようにしてもよい。なお、連結体３の網の目は、ユニット２の網の目よりも大きく形成されており、植物５の手入れがし易く構成されている。
【００３０】
接続部材４は、ユニット２を構成するユニット金網同士、ユニット２と連結体３、緑化装置１同士を接続する。接続部材４は、ユニット金網２０等と同素材であり、螺旋形状を有する。接続部材４は、例えばユニット金網正面２０ａの横方向の両端部と、ユニット金網側面２０ｂの正面側の端部とが接する状態で、接続部材４の軸方向を中心に接続部材４を回転させ、接続部材４の先端を金網の格子に順次通すことで、ユニット金網正面２０ａと、ユニット金網側面２０ｂとの接続が可能となる。接続部材４は、螺旋形状を有する上記接続部材４に代えて、ユニット金網を挟み込んで固定するクリップ、ユニット金網を結束する結束クリップなどを用いてもよい。
【００３１】
＜接続装置＞
＜＜連結型の固定金物＞＞
図６は、実施形態に係る連結型の固定金物の断面図を示す。図７は、実施形態に係る連結型の固定金物の平面図を示す。図８は、実施形態に係る連結型の固定金物の正面図を示す。連結型の固定金物６１は、本発明の接続装置の一例であり、下側の緑化装置１の背面上部と当該下側の緑化装置１の上方に接続される上側の緑化装置１の背面下部とを跨いで、垂直方向に接続された２つの緑化装置１，１と構造物９とを接続する。
【００３２】
連結型の固定金物６１は、連結型の固定金物の本体６１１、固定板６１２、ボルト・ナット６１４を備える。連結型の固定金物の本体６１１は、本発明の外側接続部材の一例であり、建物９のうち、正面側に突出した突出部９１の水平面に接続される長方形の構造物側接続プレート６１１ａ、構造物側接続プレート６１１ａと直交して接続された長方形の緑化装置側接続プレート６１１ｂ、構造物側接続プレート６１１ａと緑化装置側接続プレート６１１ｂとに接続され、連結型の固定金物の本体６１１を補強する補強プレート６１１ｃによって構成されている。構造物側接続プレート６１１ａには、ボルト・ナット６１４のボルトが貫通する孔が２カ所形成され、ボルト・ナット６１４のボルトの軸部が建物９の突出部９１に埋め込まれている。構造物側接続プレート６１１ａの前側の端部は、緑化装置側接続プレート６１１ｂの上下方向の中央付近に接続されている。緑化装置側接続プレート６１１ｂには、ボルト・ナット６１４のボルトが貫通する孔が、上部に４カ所、下部に４カ所、合計８カ所に形成されている。なお、本明細書では、ボルト・ナット６１４は、ナットを用いるものと用いないものを特に区別せずに説明する。
【００３３】
固定板６１２は、上側の緑化装置１に接続される上側の固定板６１２ａと、下側の緑化装置１に接続される下側の固定板６１２ｂとによって構成されている。固定板６１２は、何れも長方形であり、緑化装置側接続プレート６１１ｂの半分以下の面積を有している。また、固定板６１２の夫々には、ボルト・ナット６１４のボルトが貫通する孔が４カ所形成されている。これらの孔は、緑化装置側接続プレート６１１ｂに形成された孔の位置に対応している。固定板６１２のうち、上側の固定板６１２ａは、連結体３の内側に溶接によって予め接続されている。また、下側の固定板６１２ｂは、緑化装置１のユニット金網背面２０ｃの内側に溶接によって予め接続されている。固定板６１２（上側の固定板６１２ａ、下型の固定板６１２ｂ）と緑化装置側接続プレート６１１ｂとをボルト・ナット６１４で接続することで、垂直方向に接続された２つの緑化装置１，１と構造物９とが接続される。
【００３４】
＜＜独立型の固定金物＞＞
図９は、実施形態に係る独立型の固定金物の側面図を示す。図１０は、実施形態に係る独立型の固定金物の平面図を示す。図１１は、実施形態に係る独立型の固定金物の正面図を示す。独立型の固定金物６２は、本発明の接続装置の一例であり、先に説明した連結型の固定金物６１と異なり、１つの緑化装置１の背面と構造物９とを接続する。
【００３５】
独立型の固定金物６２は、本発明の外側接続部材の一例であり、第１固定金物の本体６２１、第２固定金物の本体６２２、第１固定金物の固定板６２３、第２固定金物の固定板６２４、ボルト・ナット６１４を備える。第１固定金物の本体６２１は、建物９のうち、正面側に突出した突出部９１の水平面に接続される長方形の第１固定金物の構造物側接続プレート６２１ａ、第１固定金物の構造物側接続プレート６２１ａと直交して接続された長方形の第１固定金物の緑化装置側接続プレート６２１ｂ、第１固定金物の構造物側接続プレート６２１ａと第１固定金物の緑化装置側接続プレート６２１ｂとに接続され、第１固定金物の本体６２１を補強する第１固定金物の補強プレート６２１ｃによって構成されている。第１固定金物の構造物側接続プレート６２１ａには、ボルト・ナット６１４のボルトが貫通する孔が２カ所形成され、ボルト・ナット６１４のボルトの軸部が建物９の突出部９１に埋め込まれている。第１固定金物の構造物側接続プレート６２１ａの一辺は、第１固定金物の緑化装置側接続プレート６２１ｂの上下方向の中央付近に接続されている。第１固定金物の緑化装置側接続プレート６２１ｂには、ボルト・ナット６１４のボルトが貫通する孔が４カ所形成されている。
【００３６】
第２固定金物の本体６２２は、側面視においてＬ字状であり、建物９の突出部９１の下面に接続される第２固定金物の構造物側接続プレート６２２ａ、第２固定金物の構造物側接続プレート６２２ａと直交して接続された第２固定金物の緑化装置側接続プレート６２
２ｂによって構成されている。第２固定金物の構造物側接続プレート６２２ａには、ボルト・ナット６１４のボルトが貫通する孔が２カ所形成され、ボルト・ナット６１４のボルトの軸部が建物９の突出部９１に埋め込まれている。また、第２固定金物の緑化装置側接続プレート６２２ｂには、ボルト・ナット６１４のボルトが貫通する孔が２カ所形成されている。
【００３７】
第１固定金物の固定板６２３は、長方形であり、第１固定金物の緑化装置側接続プレート６２１ｂとほぼ同じ面積を有している。第１固定金物の固定板６２３には、ボルト・ナット６１４のボルトが貫通する孔が４カ所形成されている。これらの孔は、第１固定金物の緑化装置側接続プレート６２１ｂに形成された孔の位置に対応している。第２固定金物の固定板６２４も、長方形であり、第２固定金物の緑化装置側接続プレート６２２ｂとほぼ同じ面積を有している。第２固定金物の固定板６２４には、ボルト・ナット６１４のボルトが貫通する孔が２カ所形成されている。これらの孔は、第２固定金物の緑化装置側接続プレート６２２ｂに形成された孔の位置に対応している。第１固定金物の固定板６２３、第２固定金物の固定板６２４は、連結体３の内側に溶接によって予め接続されている。
【００３８】
＜＜基礎部の固定金物＞＞
図１２は、実施形態に係る基礎部の固定金物の断面図を示す。図１３は、実施形態に係る基礎部の固定金物の平面図を示す。図１４は、実施形態に係る基礎部の固定金物の正面図を示す。基礎部の固定金物６３は、本発明の接続装置の一例であり、最も下に位置する緑化装置１と地面８との間に空間が形成されるように、緑化装置１と構造物９の基礎部９２とを接続する。
【００３９】
基礎部の固定金物６３は、基礎部の固定金物の本体６３１、基礎部の固定板６３２、ボルト・ナット６１４を備える。基礎部の固定金物の本体６３１は、本発明の外側接続部材の一例であり、側面視においてＬ字状であり、建物９の基礎部９２の水平面に接続される基礎部の構造物側接続プレート６３１ａ、基礎部の構造物側接続プレート６３１ａと直交して接続された基礎部の緑化装置側接続プレート６３１ｂによって構成されている。基礎部の構造物側接続プレート６３１ａには、ボルト・ナット６１４のボルトが貫通する孔が２カ所形成され、ボルト・ナット６１４のボルトの軸部が建物９の突出部９１に埋め込まれている。基礎部の緑化装置側接続プレート６３１ｂには、ボルト・ナット６１４のボルトが貫通する孔が２カ所形成されている。
【００４０】
基礎部の固定板６３２は、長方形であり、基礎部の緑化装置側接続プレート６３１ｂとほぼ同じ面積を有している。また、基礎部の固定板６３２には、ボルト・ナット６１４のボルトが貫通する孔が２カ所形成されている。これらの孔は、基礎部の緑化装置側接続プレート６３１ｂに形成された孔の位置に対応している。基礎部の固定板６３２は、緑化装置１のユニット金網背面２０ｃの内側に溶接によって予め接続されている。基礎部の固定板６３２と基礎部の緑化装置側接続プレート６３１ｂとをボルト・ナット６１４で接続することで、緑化装置１を構造物９の基礎部９２に接続することができる。また、基礎部の構造物側接続プレート６３１ａを固定するボルト・ナット６１４には、スペーサ６１５が装着されている。その結果、最も下に位置する緑化装置１と地面８との間に空間が形成されるように、緑化装置１と構造物９の基礎部９２とが接続される。
【００４１】
＜上面の補助金物＞
図１５は、実施形態に係る上面の補助金物の断面図を示す。上面の補助金物６４は、緑化装置１同士の固定に用いるもので、下側の緑化装置１上面（ユニット金網上面２０ｅ）と上側の緑化装置１の下面（ユニット金網下面２０ｄ）とを接続する。
【００４２】
上面の補助金物６４は、上面補助金物の本体６４１、上面補助金物の固定板６４２、ボ
ルト・ナット６１４を備える。上面補助金物の本体６４１は、側面視においてＬ字状であり、下側の緑化装置１の上面内側（ユニット金網上面２０ｅの内側）に接続される上面補助金物の水平プレート６４１ａ、上面補助金物の水平プレート６４１ａと直交する上面補助金物の垂直プレート６４１ｂによって構成されている。上面補助金物の水平プレート６４１ａには、ボルト・ナット６１４のボルトが貫通する孔が２カ所形成されている。なお、上面補助金物の本体６４１は、上面補助金物の垂直プレート６４１ｂを省略し、より簡易な構成としてもよい。
【００４３】
上面補助金物の固定板６４２は、長方形であり、ボルト・ナット６１４のボルトが貫通する孔が２カ所形成されている。これらの孔は、上面補助金物の水平プレート６４１ａに形成された孔の位置に対応している。上面補助金物の固定板６４２は、緑化装置１の下面内側（ユニット金網下面２０ｄの内側）に溶接によって予め接続されている。上面の補助金物６４と上面補助金物の固定板６４２とをボルト・ナット６１４で接続することで、下側の緑化装置１の上面（ユニット金網上面２０ｅ）と上側の緑化装置１の下面（ユニット金網下面２０ｄ）とを接続することができる。
【００４４】
＜側面の補助金物＞
図１６は、実施形態に係る側面の補助金物の平面図を示す。側面の補助金物６５は、緑化装置１同士の固定に用いるもので、緑化装置１の側面同士（ユニット金網側面２０ｂ同士）を接続する。
【００４５】
側面の補助金物６５は、一対の側面補助金物の本体６５１、ボルト・ナット６１４を備える。側面補助金物の本体６５１は、断面視において扁平のＣ字状である。側面補助金物の本体６５１には、ボルト・ナット６１４のボルトが貫通する孔が２カ所形成されている。端部から内側に突出する突出片は、ユニット金網側面２０ｂの格子の縦方向を構成する縦部材に引掛けることができる。なお、側面の補助金物６５は、端部から内側に突出する突出片を省略し、より簡易な構成としてもよい。一対の側面補助金物の本体６５１で、緑化装置１の側面を挟持するように、一対の側面補助金物の本体６５１同士をボルト・ナット６１４で接続することで、緑化装置１の側面同士（ユニット金網側面２０ｂ同士）を接続することができる。
【００４６】
＜背面の補助金物＞
図１７は、実施形態に係る背面の補助金物の正面図を示す。背面の補助金物６６は、緑化装置１同士の固定に用いるもので、垂直方向に重ねられた２つの緑化装置１の背面同士を接続する。
【００４７】
背面の補助金物６６は、背面補助金物の本体６６１、背面補助金物の固定板６６２、ボルト・ナット６１４を備える。背面補助金物の本体６６１は、長方形の板状である。背面補助金物の本体には、ボルト・ナット６１４のボルトが貫通する孔が、上部に３カ所、下部に３カ所、合計６カ所に形成されている。
【００４８】
背面補助金物の固定板６６２は、上側の緑化装置１に接続される上側の背面補助金物の固定板６６２ａと、下側の緑化装置１に接続される下側の背面補助金物の固定板６６２ｂとによって構成されている。背面補助金物の固定板６６２は、何れも長方形であり、背面補助金物の本体６６１の半分以下の面積を有している。また、背面補助金物の固定板６６２の夫々には、ボルト・ナット６１４のボルトが貫通する孔が３カ所形成されている。これらの孔は、背面補助金物の本体６６１に形成された孔の位置に対応している。背面補助金物の固定板６６２のうち、上側の背面補助金物の固定板６６２ａは、連結体３の内側に溶接によって予め接続されている。下側の背面補助金物の固定板６６２ｂは、緑化装置１のユニット金網背面２０ｃの内側に溶接によって予め接続されている。背面補助金物の本
体６６１と背面補助金物の固定板６６２（上側の背面補助金物の固定板６６２ａ、下側の背面補助金物の固定板６６２ｂ）とをボルト・ナット６１４で接続することで、垂直方向に重ねられた２つの緑化装置１の背面同士を接続することができる。
【００４９】
＜緑化方法＞
次に、上述した緑化装置１を用いた緑化方法について説明する。図１８は、実施形態に係る緑化方法の工程図を示す。なお、図１８に示す緑化方法の工程順序は一例であり、工程順序は適宜入れ替えることができる。
【００５０】
養生工程（ステップＳ０１）では、ユニット２に植物５が植えられ、一定期間養生される。具体的には、ユニット２が組み立てられ、マット２１が設置される。マット２１が設置されると、マット２１の内側に軽量土壌２２が充填され、植物５が植えられる。マット正面２１ａには、複数の切り込みが形成されており、この切り込みから植物５の根を軽量土壌２２に植えつけることができる。マット正面２１ａには、蔓性植物としてのテイカカズラが植えられ、天面には、例えば、シラカシやアオダモなど主木となる木と、コナラ、ウツギ、ヤマブキ、ヤマツツジ、ツバキなどの中・低木、ヒメヤブラン、キチジョウソウ、チゴユリ、ゲンノショウコなどが植えられる。なお、ユニット２は、背面が開放されていることから、天面への植物５の植え付けなどは、背面より行うことができる。
【００５１】
養生工程における一定期間は、植生する植物５の種類、緑化装置１の大きさ、緑化する面積等に基づいて適宜決定することができる。なお、養生工程は、緑化装置１の設置場所とは異なる場所で行うことが好ましい。これにより、設置場所における作業負担を軽減することができ、また、設置場所に植物５を育成するための場所を確保する必要もない。緑化装置１の設置場所とは異なる場所には、植生工場や植物の栽培地が例示される。また、緑化装置１を設置する建物９が建設中の場合には、建物９の工事と並行して養生工程を行うとよい。これにより、建物９の建設後、タイミングよく、植物５が植生された緑化装置１を設置することができる。養生工程が完了すると、運搬工程へ進む。
【００５２】
運搬工程（ステップＳ０２）では、予め植物５が植えられたユニット２とユニット２に接続される連結体３が緑化装置１の設置場所まで運搬される。例えば、ユニット２がトラックなどの運搬車両の荷台に並べられ、養生工程を行った場所から設置場所まで運搬される。なお、運搬前にユニット２と連結体３とを接続し、組み立てた緑化装置１を運搬するようにしてもよい。運搬工程が完了すると、設置工程へ進む。
【００５３】
設置工程（ステップＳ０３）では、運搬されたユニット２及び連結体３が接続部材４で接続され複数の緑化装置１が組み立てられ、複数の緑化装置１が水平方向と垂直方向に設置される。運搬されたユニット２の植物５や軽量土壌２２に手入れが必要な場合には、ユニット２の背面から作業を行うことができる。運搬後のユニット２に特に手入れが必要ない場合、又は、手入れ作業終了後、ユニット２と連結体３とが接続部材４で固定される。
【００５４】
緑化装置１が組み立てられると、緑化装置１が垂直方向、又は水平方向に設置される。例えば、建物９の前面に足場１０が設置され、緑化装置１がクレーン１１で吊り上げられ、緑化装置１が積み重ねられ互いに接続される。最も下に位置する緑化装置１は、基礎部の固定金物６３によって建物９の基礎部９２に固定される。垂直方向に接続された２つの緑化装置１，１と構造物９の突出部９１とは、連結型の固定金物６１によって一体的に接続される。１つの緑化装置１の背面と構造物９の突出部９１とは、独立型の固定金物６２によって接続される。下側の緑化装置１上面（ユニット金網上面２０ｅ）と上側の緑化装置１の下面（ユニット金網下面２０ｄ）とは、上面の補助金物６４によって接続される。緑化装置１の側面同士（ユニット金網側面２０ｂ同士）は、側面の補助金物６５によって接続される。垂直方向に重ねられた２つの緑化装置１の背面同士は、背面の補助金物６６
によって接続される。
【００５５】
＜効果＞
以上説明した実施形態に係る緑化装置１によれば、連結型の固定金物６１、独立型の固定金物６２、基礎部の固定金物６３、上面の補助金物６４、側面の補助金物６５、背面の補助金物６６を適宜用いることで、建物９の形状に関わらず、緑化装置１を垂直方向、又は水平方向に壁状に設置し、壁状に設置した緑化装置１を建物９と接続することができる。連結型の固定金物６１を用いることで、上側の緑化装置１と下側の緑化装置１とを一体的に建物９の突出部９１に接続することができる。例えば、建物９の垂直な壁に接続する場合と異なり、緑化装置１に対して建物９から離れる方向に力が作用した場合でも、このような力が作用する方向とボルト・ナット６１４などの部材の軸方向が異なるため（例えば、直交するため）、ボルト・ナット６１４などの部材が抜けにくくなっている。したがって、より強固に固定することができる。これにより、特に緑化装置１を垂直方向に重ねた場合において、緑化装置１の安定性が向上する。
【００５６】
独立型の固定金物６２を用いることで、１つの緑化装置１の背面と構造物９の突出部９１とを接続することができる。連結型の固定金物６１と同じく、建物９の垂直な壁に接続する場合と比較して、ボルト・ナット６１４などの部材が抜けにくくなり、より強固に固定することができる。また、基礎部の固定金物６３を用いることで、最も下に位置する緑化装置１と建物９の基礎部９２とを接続することができる。基礎部の固定金物６３は、緑化装置１の設置面（例えば、地面８）地面８と緑化装置１の下面との間に空間を形成するので、緑化装置１の設置面（例えば、地面８）の多少の凹凸に関わらず、緑化装置１を設置することができる。
【００５７】
上面の補助金物６４を用いることで、下側の緑化装置１の上面（ユニット金網上面２０ｅ）と上側の緑化装置１の下面（ユニット金網下面２０ｄ）とを接続することができる。また、側面の補助金物６５を用いることで、垂直方向に重ねられた２つの緑化装置１の側面同士を接続することができる。また、背面の補助金物６６を用いることで、垂直方向に重ねられた２つの緑化装置１の背面同士を接続することができる。上面の補助金物６４、側面の補助金物６５、背面の補助金物６６を適宜用いることで、緑化装置１同士をより強固に接続することができ、緑化装置１の安定性が向上する。
【００５８】
また、マット２１に植物５が予め植えられていることから、設置場所において植物５を植える手間を省くことができ、施工性が向上する。また、植物５の植えつけは、熟練度によって完成後の見栄えや植物の生育に影響を与えることが懸念されるが、実施形態１に係る緑化装置１では、そのような懸念も解消される。また、実施形態に係る緑化装置１は、ユニット２が予め植物５が絡む植生面を備えることで設置当初から緑化効果を得ることができ、また、美観にも優れている。
【００５９】
以上、本発明の好適な実施形態を説明したが、本発明に係る緑化装置はこれらに限らず、可能な限りこれらの組み合わせを含むことができる。
【符号の説明】
【００６０】
１・・・緑化装置
２・・・ユニット
２０・・・ユニット金網
２１・・・マット
２２・・・軽量土壌
２４・・・突出部
２５・・・空間
３・・・連結体
４・・・接続部材
５・・・植物
６１・・・連結型の固定金物
６２・・・独立型の固定金物
６３・・・基礎部の固定金物
６４・・・上面の補助金物
６５・・・側面の補助金物
８・・・地面
９・・・建物
【図１】
0006617950.tif 000002
【図２】
0006617950.tif 000003
【図３】
0006617950.tif 000004
【図４】
0006617950.tif 000005
【図５】
0006617950.tif 000006
【図６】
0006617950.tif 000007
【図７】
0006617950.tif 000008
【図８】
0006617950.tif 000009
【図９】
0006617950.tif 000010
【図１０】
0006617950.tif 000011
【図１１】
0006617950.tif 000012
【図１２】
0006617950.tif 000013
【図１３】
0006617950.tif 000014
【図１４】
0006617950.tif 000015
【図１５】
0006617950.tif 000016
【図１６】
0006617950.tif 000017
【図１７】
0006617950.tif 000018
【図１８】
0006617950.tif 000019